(57)【要約】【課題】側板部材とドレン通路構成部材とを樹脂一体成形でき、部品点数を削減することが可能な空気調和機の室内機を提供する。【解決手段】空気調和機１の室内機２は、室内熱交換器２０と、樹脂一体成形品の側板部材１００とを備えている。側板部材１００は、室内熱交換器２０の側端面に装着される。側板部材１００は、鉛直プレート部１０１と、複数の貫通孔１０５と、ドレン通路底板部１０２と、フランジ部１０３とを有している。フランジ部１０３は、ドレン通路底板部１０２における室内熱交換器２０と反対側の端部の縁から鉛直に立ち上がる。ドレン通路底板部１０２は、互いに隣接する第１底板部１１１と第２底板部１１２とを有している。第２底板部１１２は、側板部材１００の複数の貫通孔１０５のうち第２底板部１１２に最も近い貫通孔１０５ａの内面と連続した平面Ｐを構成している。【選択図】図６
2011106762.tif 000002
【特許請求の範囲】
【請求項１】
室内熱交換器（２０）と、
前記室内熱交換器（２０）の少なくとも一方の側端面に装着される側板部材（１００）と
を備えた空気調和機（１）の室内機（２）であって、
前記側板部材（１００）は、樹脂一体成形品であり、
前記室内熱交換器（２０）の側端面に裏面側が対向する前記鉛直プレート部（１０１）と、
前記室内熱交換器（２０）の側端部から突出する伝熱管のヘアピン部（８１ｃ〜８５ｃ）が挿入される複数の貫通孔（１０５）と、
前記前記鉛直プレート部（１０１）から前記室内熱交換器（２０）と反対側に延びるドレン通路底板部（１０２）と、
前記ドレン通路底板部（１０２）における前記室内熱交換器（２０）と反対側の端部の縁から鉛直に立ち上がるフランジ部（１０３）と
を有し、
前記ドレン通路底板部（１０２）は、互いに隣接する第１底板部（１１１）と第２底板部（１１２）とを有しており、
前記第２底板部（１１２）は、前記側板部材（１００）の複数の貫通孔（１０５）のうち前記第２底板部（１１２）に最も近い貫通孔（１０５ａ）の内面と連続した平面（Ｐ）を構成している、
空気調和機（１）の室内機（２）。
【請求項２】
前記側板部材（１００）の近傍に設けられたファン駆動用モータ（２２）をさらに備えており、
前記ファン駆動用モータ（２２）の外周面に沿って前記ドレン通路底板部（１０２）が配置されている、
請求項１に記載の空気調和機（１）の室内機（２）。
【請求項３】
前記ドレン通路底板部（１０２）の第２底板部（１１２）は、前記第１底板部（１１１）よりも前記ファン駆動用モータ（２２）の外周面から離れて配置されている、
請求項２に記載の空気調和機（１）の室内機（２）。
【請求項４】
前記ファン駆動用モータ（２２）は、中心側に固定子、外周側に回転子を有するアウタードライブモータである、
請求項２または３に記載の空気調和機（１）の室内機（２）。
【請求項５】
前記ドレン通路底板部（１０２）における長手方向の端部に設けられたドレンパン（２５）をさらに備えている、
請求項１から４のいずれかに記載の空気調和機（１）の室内機（２）。
【請求項６】
前記第２底板部（１１２）に最も近い貫通孔（１０５ａ）の少なくとも一部は、前記室内熱交換器（２０）の固定側板（８１ｂ〜８５ｂ）またはフィンで遮蔽されている、
請求項１から５のいずれかに記載の空気調和機（１）の室内機（２）。
【発明の詳細な説明】
【技術分野】
【０００１】
本発明は、室内熱交換器の側端が側板部材で覆われた空気調和機の室内機に関する。
【背景技術】
【０００２】
従来より、空気調和機の室内機では、特許文献１（特開２００１―３２４２１３号公報）に示されるように、室内熱交換器の側端が側板部材で覆われている。この側板部材は、室内機の底板に直立して設けられ、室内熱交換器の側端に装着されることにより、室内熱交換器を逆Ｖ字状に保持するとともに、室内熱交換器の側方から下流側空間への空気流れ、すなわちバイパスエアの流入を防いでいる。
ここで、室内機の内部の空気が結露して生じるドレン水を室内機の底部のドレンパンへ導くために、側板部材にドレン通路を設けた構造が従来より知られている。この構造では、側板部材の本体部分とドレン通路の溝を構成するフランジ部とを樹脂により一体成形することにより側板部材を製造している。
【発明の概要】
【発明が解決しようとする課題】
【０００３】
しかし、金型のキャビティ内部に樹脂を充填して側板部材の本体部分とフランジ部とを一体成形する場合、ドレン通路の場所によっては、フランジ部を形成するための中子であるコアスライドが抜けない場所が生じるおそれがある。とくにファン駆動用モータの近傍に側板部材を設置した場合には、コアスライドが抜けない場所が生じるおそれが高くなる。
【０００４】
その場合、ドレン通路を構成するフランジ部などを側板部材と別部材で成形せざるを得なくなり、部品点数が増大するという問題がある。
本発明の課題は、側板部材とドレン通路構成部材とを樹脂一体成形でき、部品点数を削減することが可能な空気調和機の室内機を提供することにある。
【課題を解決するための手段】
【０００５】
第１発明の空気調和機の室内機は、室内熱交換器と、側板部材とを備えている。側板部材は、室内熱交換器の少なくとも一方の側端面に装着される。側板部材は、樹脂一体成形品である。側板部材は、鉛直プレート部と、複数の貫通孔と、ドレン通路底板部と、フランジ部とを有している。鉛直プレート部は、その裏面側が室内熱交換器の側端面に対向する。複数の貫通孔は、室内熱交換器の側端部から突出する伝熱管のヘアピン部が挿入される。ドレン通路底板部は、鉛直プレート部から室内熱交換器と反対側に延びる。フランジ部は、ドレン通路底板部における室内熱交換器と反対側の端部の縁から鉛直に立ち上がる。ドレン通路底板部は、互いに隣接する第１底板部と第２底板部とを有している。第２底板部は、側板部材の複数の貫通孔のうち第２底板部に最も近い貫通孔の内面と連続した平面を構成している。
【０００６】
ここでは、第２底板部に接する成形金型を側板部材の複数の貫通孔のうち第２底板部に最も近い貫通孔から水平に抜くことができるので、第１底板部に接するコアスライドは問題なく鉛直面に沿った方向に抜くことが可能になり、コアスライドを小さくすることができる。その結果、導水路のみ別パーツを作る必要が無くなり、部品点数を削減できる。
【０００７】
第２発明の空気調和機の室内機は、第１発明の空気調和機の室内機であって、側板部材の近傍に設けられたファン駆動用モータをさらに備えている。ドレン通路底板部は、ファン駆動用モータの外周面に沿って配置されている。
【０００８】
ここでは、ファン駆動用モータの外周面に沿って形成されたドレン通路のうち、ヘアピン部が近いのでコアスライドが抜けなくなる部分が第２底板部に生じても、第２底板部に接する成形金型を第２底板部に最も近い貫通孔から水平に抜くことができる。
【０００９】
第３発明の空気調和機の室内機は、第２発明の空気調和機の室内機であって、ドレン通路底板部の第２底板部は、第１底板部よりもファン駆動用モータの外周面から離れて配置されている。
【００１０】
ここでは、ドレン通路底板部の第２底板部は、第１底板部よりもファン駆動用モータの外周面から離れて配置されており、第２底板部が一段高くなっているので、第２底板部に接する成形金型の位置を貫通孔の正面に持っていく位置関係にすることが設計上可能になる。そのため、ドレン通路を確保しながら成形金型を貫通孔から確実に水平に抜くことができ、成形品と成形金型との離脱性が良くなっている。
【００１１】
第４発明の空気調和機の室内機は、第２発明または第３発明の空気調和機の室内機であって、ファン駆動用モータは、中心側に固定子、外周側に回転子を有するアウタードライブモータである。
【００１２】
ここでは、室内機のファン駆動用モータに採用されるアウタードライブモータはインナードライブモータよりも外径が大きいので、コアスライドが抜けなくなる部分が第２底板部に生じやすくなるが、第２底板部に接する成形金型を第２底板部に最も近い貫通孔から水平に抜くことができる。
【００１３】
第５発明の空気調和機の室内機は、第１発明から第４発明のいずれかの空気調和機の室内機であって、ドレンパンをさらに備えている。ドレンパンは、ドレン通路底板部における長手方向の端部に設けられている。
【００１４】
ここでは、ドレン通路底板部における長手方向の端部にドレンパンを設けているので、ドレン通路を流れるドレン水をドレンパンで確実に受けることが可能である。
第６発明の空気調和機の室内機は、第１発明から第５発明のいずれかの空気調和機の室内機であって、第２底板部に最も近い貫通孔の少なくとも一部は、室内熱交換器の固定側板またはフィンで遮蔽されている。
【００１５】
ここでは、第２底板部に最も近い貫通孔の少なくとも一部は、室内熱交換器の固定側板またはフィンで遮蔽されているので、バイパスエアの発生を抑制することが可能である。
【発明の効果】
【００１６】
第１発明によれば、導水路のみ別パーツを作る必要が無くなり、部品点数を削減できる。
【００１７】
第２発明によれば、ファン駆動用モータの外周面に沿って形成されたドレン通路のうち、ヘアピン部が近いのでコアスライドが抜けなくなる部分が第２底板部に生じても、第２底板部に接する成形金型を第２底板部に最も近い貫通孔から水平に抜くことができる。
【００１８】
第３発明によれば、第２底板部に接する成形金型の位置を貫通孔の正面に持っていく位置関係にすることが設計上可能になり、ドレン通路を確保しながら成形金型を貫通孔から確実に水平に抜くことができ、成形品と成形金型との離脱性が良くなる。
【００１９】
第４発明によれば、コアスライドが抜けなくなる部分が第２底板部に生じやすくなるが、第２底板部に接する成形金型を第２底板部に最も近い貫通孔から水平に抜くことができる。
【００２０】
第５発明によれば、ドレン通路を流れるドレン水をドレンパンで確実に受けることができる。
【００２１】
第６発明によれば、バイパスエアの発生を抑制することができる。
【図面の簡単な説明】
【００２２】
【図１】本発明の実施形態に係わる空気調和機の概観斜視図。
【図２】図１の空気調和機の冷媒回路の構成図。
【図３】図１の室内機の内部構造を示す縦断面図。
【図４】図１の室内機の側板部材付近の拡大斜視図。
【図５】図１の室内機の側板部材付近の正面図。
【図６】図１の側板部材の斜視図。
【図７】図６の側板部材の貫通孔付近を矢印Ａの方向から見た拡大図。
【図８】本発明の比較例であるファンモータが側板部材から離れて配置された室内機における側板部材付近の拡大斜視図。
【発明を実施するための形態】
【００２３】
つぎに本発明の空気調和機の室内機の実施形態を図面を参照しながら説明する。
【００２４】
〔実施形態〕
＜空気調和機の外観＞
本発明の一実施形態が採用された空気調和機１の外観を、図１に示す。この空気調和機１は、室内の壁面などに取り付けられる室内機２と、室外に設置される室外機３とを備えている。
【００２５】
図２に示すように、室内機２内には室内熱交換器２０が、室外機３内には室外熱交換器３０が収納されており、各熱交換器２０，３０が集合連絡配管群４の冷媒連絡配管４１，４２により接続されることにより冷媒回路が構成されている。
【００２６】
＜空気調和機の冷媒回路の構成＞
図２に示す空気調和機１の冷媒回路は、室内熱交換器２０、アキュムレータ３１、圧縮機３２、四路切換弁３３、室外熱交換器３０、電動膨張弁３４などから構成されている。
室内機２に設けられている室内熱交換器２０は、接触する空気との間で熱交換を行う。また、室内機２には、室内空気を吸い込んで室内熱交換器２０との間で熱交換を行った後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられるファンモータ２２によって回転駆動される。室内機２の詳細な構成については後に説明する。
【００２７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して液側冷媒連絡配管４１に接続されており、この液側冷媒連絡配管４１を介して室内熱交換器２０の一端と接続される。  
【００２８】
また、四路切換弁３３は、ガス閉鎖弁３７を介してガス側冷媒連絡配管４２に接続されており、このガス側冷媒連絡配管４２を介して室内熱交換器２０の他端と接続されている。また、室外機３には、室外熱交換器３０と室外空気との間で熱交換させるための送風機であるプロペラファン３８が設けられている。このプロペラファン３８は、ファンモータ３９によって回転駆動される。
【００２９】
＜室内機の構成＞
（室内機の全体構成）
室内機２は、図１に示すように、横長の矩形形状の室内機ケーシング２３を備えており、前述した室内熱交換器２０、クロスフローファン２１およびファンモータ２２、ならびに後述する側板部材１００（図４〜７参照）は、室内機２の室内機ケーシング２３内に収容されている。
【００３０】
本実施形態のファンモータ２２は、中心側に固定子、外周側に回転子を有するアウタードライブモータである。
【００３１】
室内機ケーシング２３の上面には、室内の空気を室内機ケーシング２３内に取り入れるための吸込口２３ａが設けられている。
【００３２】
室内機ケーシング２３の下部には、室内へと冷暖房などの空気調和がなされた空気を送り出すための吹出口２３ｂが設けられている。吸込口２３ａから室内機ケーシング２３内に取り込まれ室内熱交換器２０と熱交換した後の空気は、クロスフローファン２１によって、吹出口２３ｂから室内へと吹き出される。吹出口２３ｂから吹き出される空気は、フラップ２３によって前方だけでなく左右および後方に分散される。また、暖房時には、フラップ２３の角度を変えることによってほぼ真下へ吹き出すことも可能である。室内機２を使用しないときは、吹出口２３ｂはフラップ２３ｃによって閉じられる。
【００３３】
（室内熱交換器の構成）
図３に示されるように、室内熱交換器２０は、クロスフローファン２１の前方、上方および後部上方を取り囲むように取り付けられる。室内熱交換器２０は、クロスフローファン２１の駆動により吸込口２３ａから取り込まれた室内空気をクロスフローファン２１側に通過させ、その室内空気と冷媒との間で熱交換を行わせる。室内熱交換器２０は、その上部が、側面視において、正面側熱交換器と背面側熱交換器とに分かれた逆Ｖ字タイプの断面形状を有している。
【００３４】
具体的には、室内熱交換器２０は、第１熱交換部８１（正面側熱交換器）、第２熱交換部８２（背面側熱交換器）、第３熱交換部８３、第４熱交換部８４、および第５熱交換部８５の５つの部分に分割されている。
【００３５】
分割されている各熱交換部８１〜８５は、それぞれ、左右方向に長く伸びる複数の伝熱管８１ａ〜８５ａと、伝熱管８１ａ〜８５ａの両端付近に設けられる固定側板８１ｂ〜８５ｂと、両端の固定側板８１ｂ〜８５ｂの間に微少隙間を空けて積層配置され伝熱管８１ａ〜８５ａを挿通させるフィンＦ（図４参照）とから構成されている。室内熱交換器２０の伝熱管８１ａ〜８５ａは、固定側板８１ｂ〜８５ｂの外側においてそれぞれＵ字状のヘアピン部８１ｃ〜８５ｃによって１本になるように結ばれており、その１本となった伝熱管の両端が前述の液側冷媒連絡配管４１およびガス側冷媒連絡配管４２に接続されている。
【００３６】
第１熱交換部８１は、上端が室内機２の後方へ向けて傾斜して配置されており、クロスフローファン２１の上方から前部上方を覆うように配置されている。第２熱交換部８２は、第１熱交換部８１の後方に配置され、上端が室内機２の後方へ向けて傾斜しており、クロスフローファン２１の上方から後部上方を覆っている。
【００３７】
第２熱交換部８２の上端は、第１熱交換部８１の上端に近接している。このように第１熱交換部８１の上端と第２熱交換部８２の上端とが近接して、室内熱交換器２０の逆Ｖ字タイプの頂上部分が形成されている。
【００３８】
その他の第３〜５熱交換部８３〜８５は、第１熱交換部８１および第２熱交換部８２よりも小型の熱交換部であり、第１熱交換部８１および第２熱交換部８２に対して空気流れの上流側に配置されている。
【００３９】
第１〜第５熱交換部８１〜８５は、それぞれの両側端（正面視における左右方向の端）に設けられた固定側板８１ｂ〜８５ｂにより相互に固定され、一体となって室内熱交換器２０を形成する。
【００４０】
（側板部材の構成）
図４〜７に示されるように、側板部材１００は、室内熱交換器２０の少なくとも一方の側端面に装着され、ファンモータカバー１１６とともに、室内熱交換器２０の下流側空間、すなわち逆Ｖ字型の室内熱交換器２０で囲まれたクロスフローファン２１が配置されている側の空間を覆っている。
【００４１】
側板部材１００は、鉛直プレート部１０１と、ドレン通路底板部１０２と、フランジ部１０３と、複数の貫通孔１０５（１０５ａ、１０５ｂ）とを有している。側板部材１００は、ドレン通路底板部１０２およびフランジ部１０３が合成樹脂によって一体成形された樹脂一体成形品である。  複数の貫通孔１０５は、鉛直プレート部１０１において、室内熱交換器２０の側端部から突出するヘアピン部８１ｃ〜８５ｃに対応する位置にそれぞれ成形されている。
【００４２】
複数の貫通孔１０５は、後述する第２底板部１１２に最も近い貫通孔１０５ａと、それ以外の複数の貫通孔１０５ｂとから構成されている。
【００４３】
鉛直プレート部１０１は、室内熱交換器２０の側端面に裏面側が対向するように鉛直方向に延びる板状の部分である。鉛直プレート部１０１は、鉛直方向に延びているので、ファンモータカバー１１６とともに、室内熱交換器２０の内周側の下流側空間を気密的に閉じている。これにより、室内熱交換器２０の側端におけるバイパスエアの発生を抑制している。
【００４４】
ドレン通路底板部１０２は、鉛直プレート部１０１から室内熱交換器２０と反対側に水平に延びている。
【００４５】
フランジ部１０３は、ドレン通路底板部１０２における室内熱交換器２０と反対側の端部の縁１０２ａ（図６参照）から鉛直に立ち上がっている。
【００４６】
鉛直プレート部１０１、ドレン通路底板部１０２およびフランジ部１０３で囲まれた空間が、室内機ケーシング２３の内部で生じるドレン水をドレンパン２５（図３参照）へ流すドレン通路Ｄとなっている。ドレンパン２５は、クロスフローファン２１の前側および後側にそれぞれ設けられている。
【００４７】
ドレン通路底板部１０２は、互いに隣接する第１底板部１１１と第２底板部１１２とを有している。
【００４８】
第２底板部１１２は、図６〜７に示されるように、鉛直プレート部１０１に形成された貫通孔１０５のうち第２底板部１１２に最も近い貫通孔１０５ａの内面と連続した平面Ｐを構成している。
【００４９】
図７に示されるように、第２底板部１１２に最も近い貫通孔１０５ａは、２個のヘアピン部８１ｃ１および８１ｃ２が挿入される長孔であり、ヘアピン部８１ｃ１が挿入される第１領域１０５ａ１と、ヘアピン部８１ｃ２が挿入される第２領域１０５ａ２と、第１領域１０５ａ１と第２領域１０５ａ２との間を連通させる第３領域１０５ａ３とを有する。
【００５０】
以上のように、鉛直プレート部１０１に形成された貫通孔１０５のうち第２底板部１１２に最も近い貫通孔１０５ａの内面と連続した平面Ｐを構成しているので、第２底板部１１２に接する金型の水平突出部分Ｍ２を貫通孔１０５ａから水平方向Ｈ（図６参照）に抜くことができる。一方、第１底板部１１１に接する成形金型であるコアスライドＭ１は、鉛直面に沿った上方向Ｖに抜くことが可能である。
【００５１】
また、側板部材１００は、クロスフローファン２１を回転駆動するファンモータ２２の近傍に位置している。そして、ドレン通路底板部１０２は、ファンモータ２２の外周面に沿って配置されている。
【００５２】
ドレン通路底板部１０２は、最も近い貫通孔１０５ａに近い場所では部分的に高くなっている。すなわち、ドレン通路底板部１０２の第２底板部１１２は、第１底板部１１１よりもファンモータ２２の外周面から離れて配置されている。
【００５３】
第１底板部１１１よりも一段高くなっている第２底板部１１２は、その内部は中空になっており、いわゆる肉盗みの状態になっている（図７の中空部１１２ａ参照）。
【００５４】
本実施形態のファンモータ２２は、上述のように、中心側に固定子、外周側に回転子を有するアウタードライブモータであり、インナードライブモータ（中心側に回転子、外周側に固定子を有するモータ）よりも外径が大きいモータであるので、コアスライドＭ１が抜けなくなる部分が第２底板部１１２に生じている。しかし、本実施形態では、第２底板部１１２に接する金型の水平突出部分Ｍ２を前述のように貫通孔１０５ａから水平方向Ｈに抜くことが可能になっている。
【００５５】
また、第２底板部１１２に最も近い貫通孔１０５ａの少なくとも一部、例えば、貫通孔１０５ａの中間部分の第３領域１０５ａ３が室内熱交換器２０の固定側板８１ｂで遮蔽されているので、バイパスエアの発生を抑制することが可能である。なお、固定側板８１ｂの代わりにそれに隣接するフィンＦで貫通孔１０５ａを遮蔽してもよい。
【００５６】
（側板部材の樹脂成形）
側板部材１００は、金型のキャビティ内部で合成樹脂により、鉛直プレート部１０１、ドレン通路底板部１０２およびフランジ部１０３を一体成形することにより製造される。  
【００５７】
金型は、図示されていないが、側板部材１００に対応する形状のキャビティを有しており、側板部材１００の前後に開く一対の型部分から構成されている。
【００５８】
このとき、第１底板部１１１は、図６に示される中子であるコアスライドＭ１を用いて成形される。側板部材１００の成形後、コアスライドＭ１を上方向Ｖへ１〜２ｍｍスライドさせることにより、フランジ部１０３を乗り越えて取り外すことができる。
【００５９】
一方、第２底板部１１２は、金型の水平突出部分Ｍ２を用いて成形する。水平突出部分Ｍ２は、鉛直プレート部１０１の貫通孔１０５ａを通して、第２底板部１１２に対応するキャビティを形成する。成形後、金型Ｍ２を水平方向に開くだけで、水平突出部部分Ｍ２は、貫通孔１０５ａを通して離脱することができる。
【比較例】
【００６０】
図８に示される比較例では、側板部材２０１とファンモータ（図示せず）とは、室内熱交換器２０２を挟んで両側に分かれて配置されているので、ドレン通路２０３はファンモータの設置空間を考慮しないでほぼ直線的な形状で設けることができる。そのため、側板部材２０１の成形後に、ドレン通路２０３を形成するためのコアスライドＭ１１を上方に取り外すときにも、フランジ部２０４の上方向ＶにはコアスライドＭ１１が移動可能な空間２０５が確保されているので、本発明のような課題は生じていない。
【００６１】
しかし、本発明の実施形態のように、側板部材１００の近傍にファンモータ２２が設置されるなどして、ドレン通路Ｄを形成するためのコアスライドＭ１が抜けにくい形状になっている場合には、本発明のように、コアスライドＭ１とは別に水平方向へ抜くための水平突出部分Ｍ２を金型に形成するとともに、側板部材１００の鉛直プレート部１０１に貫通孔１０５を形成することによって金型の水平突出部分Ｍ２を水平方向Ｈに抜くことが可能になっている。
【００６２】
＜実施形態の特徴＞
（１）
実施形態の空気調和機１の室内機２では、ドレン通路底板部１０２は互いに隣接する第１底板部１１１と第２底板部１１２とを有しており、かつ、第２底板部１１２は鉛直プレート部１０１の貫通孔１０５ａの内面と連続した平面Ｐを構成しているので、第２底板部１１２に接する金型の水平突出部分Ｍ２を側板部材１００の複数の貫通孔１０５のうち第２底板部１１２に最も近い貫通孔１０５ａから水平に抜くことが可能である。
【００６３】
そのため、第１底板部１１１に接する成形金型であるコアスライドＭ１が問題なく鉛直面に沿った方向に抜けるようにコアスライドＭ１を小さくすることが可能になる。その結果、導水路となるドレン通路Ｄのみ別パーツを作る必要が無くなり、部品点数を削減できる。
【００６４】
（２）
すなわち、本実施形態の空気調和機１の室内機２では、室内熱交換器２０の側端が側板部材１００で覆われており、この側板部材１００は室内熱交換器２０の側端から突出するヘアピン部８１ｃ〜８５ｃと連結した状態で取り付けられることにより、室内熱交換器２０を逆Ｖ字状に保持固定できる。しかも、側板部材１００が、ファンモータカバー１１６とともに室内熱交換器２０の側端を覆うことにより、室内熱交換器２０の側方からのバイパスエアの流入を防ぐことが可能である。しかも、側板部材１００の表面にドレン通路Ｄを確保することが可能である。
【００６５】
（３）
また、実施形態の空気調和機１の室内機２では、側板部材１００はクロスフローファン２１を回転駆動するファンモータ２２近傍に設けられ、ファンモータ２２の外周面に沿ってドレン通路底板部１０２が配置されているので、ファンモータ２２の外周面に沿って形成されたドレン通路Ｄのうち、ヘアピン部８１ｃが近いので、コアスライドＭ１が抜けなくなる部分が第２底板部１１２に生じやすくなっているが、第２底板部１１２に接する金型の水平突出部分Ｍ２を貫通孔１０５から水平に抜くことが可能である。
【００６６】
（４）
実施形態の空気調和機１の室内機２では、ドレン通路底板部１０２の第２底板部１１２は、第１底板部１１１よりもファンモータ２２の外周面から離れて配置されているので、第２底板部１１２に接する金型の水平突出部分Ｍ２の位置を貫通孔１０５の正面に持っていく位置関係にすることが設計上可能になる。そのため、ドレン通路Ｄを確保しながら金型の水平突出部分Ｍ２を貫通孔１０５から確実に水平に抜くことができ、成形品と金型の水平突出部分Ｍ２との離脱性が良くなっている。
【００６７】
（５）
実施形態の空気調和機１の室内機２では、ファンモータ２２は、中心側に固定子、外周側に回転子を有するアウタードライブモータであり、インナードライブモータ（中心側に回転子、外周側に固定子を有するモータ）よりも外径が大きいので、コアスライドＭ１が抜けなくなる部分、すなわち、第２底板部１１２が生じているが、本実施形態では、第２底板部１１２に接する金型の水平突出部分Ｍ２を前述のように貫通孔１０５ａから水平に抜くことが可能である。
【００６８】
（６）
実施形態の空気調和機の室内機１では、ドレン通路底板部１０２における長手方向の端部には、ドレン通路Ｄから流れるドレン水を受けるドレンパン２５が配置されている。ドレンパン２５は、ドレン通路Ｄの前後方向にそれぞれ設けられている。このため、ドレン通路Ｄを流れるドレン水をドレンパン２５で確実に受けることが可能である。
【００６９】
（７）
実施形態の空気調和機１の室内機２では、第２底板部１１２に最も近い貫通孔１０５ａの少なくとも一部（例えば、第３領域１０５ａ３）が室内熱交換器２０の固定側板８１ｂまたはそれに隣接するフィンで遮蔽されているので、バイパスエアの発生を抑制することが可能である。なお、固定側板８１ｂまたはフィンにより、貫通孔１０５ａ全体を遮蔽してもよい。
【産業上の利用可能性】
【００７０】
本発明は、室内熱交換器の側端に側板部材が装着された空気調和機の室内機に種々適用することが可能である。
【符号の説明】
【００７１】
１  空気調和機
２  室内機
３  室外機
２０  室内熱交換器
２１  クロスフローファン
２２  ファンモータ（ファン駆動用モータ）
２５  ドレンパン
８１〜８５  第１〜第５熱交換器部
８１ａ〜８５ａ  伝熱管
８１ｂ〜８５ｂ  固定側板
８１ｃ〜８５ｃ  ヘアピン部
１００  側板部材
１０１  鉛直プレート部
１０２  ドレン通路底板部
１０３  フランジ部
１０５  貫通孔
１０５ａ  第２底板部に最も近い貫通孔
１０５ｂ  それ以外の貫通孔
１１１  第１底板部
１１２  第２底板部
１１６  ファンモータカバー
Ｐ  平面
【先行技術文献】
【特許文献】
【００７２】
【特許文献１】特開２００１―３２４２１３号公報
【図１】
2011106762.tif 000003
【図２】
2011106762.tif 000004
【図３】
2011106762.tif 000005
【図４】
2011106762.tif 000006
【図５】
2011106762.tif 000007
【図６】
2011106762.tif 000008
【図７】
2011106762.tif 000009
【図８】
2011106762.tif 000010